(57)【要約】【課題】  ディスク媒体のディスク管理処理の完了を待たずに、撮影の記録を行うこと。【解決手段】  2つの記録媒体それぞれに対応する第１の記録再生手段および第２の記録再生手段と、該記録再生手段それぞれに映像データを出力する撮像手段と、これらを制御する制御手段とを設け、第２の記録再生手段により映像データを間欠的に記録処理を実行し、該記録処理の合間に第１の記録再生手段でのディスク管理処理を実行するよう制御する。【選択図】  図１
2007128599.tif 000002
【特許請求の範囲】
【請求項１】
ディスク記録媒体を使用するビデオカメラにおいて、撮影した映像データをディスク記録媒体に記録再生する第１の記録再生手段と、撮影した映像データを前記ディスク記録媒体とは別の記録媒体に記録再生する第２の記録再生手段を設け、第１の記録再生手段の記録媒体へのディスク管理処理が終了する前に、第２の記録再生手段の記録媒体へ撮影した映像データの記録処理を開始するよう制御することを特徴としたビデオカメラ。
【請求項２】
請求項１に記載のビデオカメラにおいて、第２の記録再生手段が記録媒体への記録処理を間欠動作にて実行し、第２の記録再生手段が記録処理の書込みを実行している時間は、第１の記録再生手段の記録媒体へのディスク管理処理を中断することを特徴としたビデオカメラ。
【請求項３】
請求項２に記載のビデオカメラにおいて、第１の記録再生手段が光ドライブであることを特徴としたビデオカメラ。
【請求項４】
請求項３に記載のビデオカメラにおいて、第１の記録再生手段が実行するディスク管理処理が光ディスクのフォーマット処理、ファイナライズ処理、イレース処理又はディスク交換処理であることを特徴としたビデオカメラ。
【発明の詳細な説明】
【技術分野】
【０００１】
本発明は、２つ以上の記録媒体を有するビデオカメラの記録媒体の制御方法に関する。
【背景技術】
【０００２】
従来からDVDおよびSDメモリカードの２つの記録媒体を使用して映像データを記録再生するビデオカメラがある（特許文献１）。
【０００３】
【特許文献１】特開２００５−１００６５０号公報
【発明の開示】
【発明が解決しようとする課題】
【０００４】
DVD、SDメモリカードそれぞれに対応した撮影モードが用意され、DVDモードではDVD記録媒体のみに映像データの記録再生を行い、SDメモリカードではSDメモリカードにのみ映像データの記録再生を行うようになっている。DVD-Rメディアで記録を行い、外部のDVDプレーヤーで再生するためには、ファイナライズ処理を実行する。このファイナライズ処理は、ディスク管理処理のひとつであり、一定の処理時間を要し、さらに、ディスクの未記録領域の大きさに依存した追加の処理時間が必要となる。DVD記録媒体のディスク管理処理の他の処理としては、フォーマット処理、イレース処理、ディスク交換処理がある。DVDのディスク管理処理は、DVDモードで実行され、SDモードでは実行できない。したがって、２つの記録媒体を備えていても、ディスク管理処理を実行中は、その完了まで、SDメモリカードでの撮影を待たされる結果となる。
【０００５】
ここで、２つの記録媒体をもつビデオカメラで、その１つの記録媒体が取り外し可能なディスク媒体であり、ディスク管理処理を行う際、ディスク管理処理の完了を待たずに、撮影を継続可能とすれば、ユーザーの使い勝手を向上することができる。本発明の解決しようとする課題は、２つの記録媒体を使用して、継続して撮影可能なビデオカメラを提供することである。
【課題を解決するための手段】
【０００６】
上記課題は、特許請求の範囲に記載の発明により解決される。
【発明の効果】
【０００７】
本発明により、ディスク記録媒体のディスク管理処理の完了を待たずに、撮影を行うことができる。
【発明を実施するための最良の形態】
【０００８】
以下、図面を用いて実施例の説明を行う。
【実施例１】
【０００９】
図1は本発明の第一の実施例であるビデオカメラの構成を示すブロック図である。１０１は映像（音声を含む）の入力を行う撮像手段、１０２は映像データの変換および逆変換を行うコーデック処理手段、１０３はコーデック処理手段１０２が使用する映像データを一時的に蓄えるバッファー手段、１０４は制御処理部、１０５は映像の表示するモニター画面、１０６はドライブインターフェース回路１、１０７はドライブインターフェース回路２、１０８はDVDドライブ、１０９はハードディスクドライブ（HDD）、１１０はDVD記録媒体、１１１は電源供給部、１１２は操作ボタンである。本実施例は、記録再生手段として、DVDドライブ１０８、HDDドライブ１０９の２つを装備したビデオカメラである。
【００１０】
ユーザーは操作ボタン１１２を操作して、本ビデオカメラを操作し、その操作に対応して、各構成部分は制御処理部１０４に制御されて動作する。各部には電源供給部１１１より電源が供給され、動作する。撮影する映像はモニター画面１０５により確認することができる。
【００１１】
本装置の具体的な処理動作について説明する。
撮像手段１０１は被写体の映像データを生成し、コーデック手段１０２に送る。モニター画面１０３は一般にはビューファインダーあるいは液晶パネルと呼ぶものであり、ユーザーが現在撮影している映像を確認するものである。モニター画面１０５は、記録した映像を後で表示する手段としても使用する。コーデック手段１０２は映像データの圧縮・復号装置であり、撮像手段１０１の出力する映像データを圧縮符号化した後、バッファー手段１０３に一時的に蓄える。制御手段１０４はバッファー手段１０３のデータ蓄積量を管理し、DVDドライブインターフェース回路１０６あるいはDVDドライブインターフェース回路１０７を経由して、DVDドライブ１０８あるいはHDDドライブ１０９に記録を行う。バッファー手段１０３に一時的蓄えることにより、それぞれのドライブによる記録動作は間欠的な動作となる。すなわち、ドライブは書込みと休止を繰り返し行うことにより、映像データを記録する。どちらのドライブで記録再生を行うかは、操作ボタン１１２によるユーザーの設定（撮影モード）に応じて決定する。撮影モードがDVDモードである場合、制御部１０４は映像データをDVDドライブインターフェース回路１０６に送るよう制御し、HDDモードである場合は、映像データをDVDドライブインターフェース回路１０７に送るよう制御する。DVDモードの場合、通常の記録、再生を行う場合は、使用しないHDDドライブは低消費電力モードに移行するよう制御部１０４が制御する。HDDモードの場合も同様に、DVDドライブが低消費電力モードになるよう制御される。
【００１２】
DVDモードで撮影を行い、DVD記録メディア１１０に映像データを記録した場合、DVDプレーヤー等の外部装置で再生するためには、DVDメディア１１０に対してファイナライズ処理が必要となる。ファイナライズ処理はDVD記録メディアに対するディスク管理処理の一つであり、未記録領域に一定の記録を行うものである。通常、ディスク管理処理には一定の時間を必要とする。HDDモードにおいて、操作ボタン１１２の入力より、制御処理部１０４はDVDメディア１１０のファイナライズ処理の指示を受け付ける。HDDモードでのDVDメディアのディスク管理処理は、HDDドライブの休止している時間に行うよう分割して処理する。制御処理部１０４は上記ファイナライズ処理の指示を受け、該処理の開始する。HDDモードで撮影操作は上記ファイナライズ処理の完了を待たずに、操作ボタン１１２から入力を受け付ける。
【００１３】
図2は制御処理部１０４が実行するファイナライズ等のディスク管理処理のフォローチャートである。制御処理部１０４は演算処理装置およびプログラム、中間データを記録するメモリー手段を内蔵しており、時分割処理に対応したマルチタスクOS（基本ソフト）で動作している。DVDメディアのディスク管理処理とHDDの記録再生処理はマルチタスクOS上で動作する独立したタスクで実行する。図2はディスク管理処理のタスクのフローチャート部分を示している。２０１の条件分岐により、ディスク管理処理が完了したか否かを判断し、完了していない場合は、条件分岐２０２に進む。条件分岐２０２では、HDDでの記録動作状態を確認し、HDDドライブ１０９にて記録動作が休止している期間である場合にのみ、処理ステップ２０３のディスク管理処理を実行する。処理ステップ２０３は分割されたディスク管理処理であり、このステップが必要に応じた回数分、繰り返し実行されることによりディスク管理処理が完了する。図2の開始から終了はマルチタスクOSによる1回のタスク処理である。
【００１４】
ファイナライズ処理の他のDVDメディアのディスク管理処理としては、フォーマット処理、イレース処理、ディスク交換処理がある。フォーマット処理はDVDメディアをそのドライブで使用可能とするための初期化処理である。イレース処理は既に書込まれたデータを消去する処理である。ディスク交換処理はドライブからDVDメディアを排出、挿入する処理であり、排出、挿入にあたって、未だ記録していない管理データの書込みや、挿入されたディスクの認識処理が実行なれる。上記いずれのディスク管理処理も、HDDモードでの要求として受け付け、HDDドライブ１０９の処理が休止している合間に実行する。
【００１５】
図3はモニター画面１０５のレイアウト図である。３０１は現在の記録モードを表示するアイコン、３０２はDVDドライブ１０８の処理状態を示すアイコンである。モニター画面は撮影使用とする映像を映し出しており、アイコン３０１、３０２共に映像の確認を妨げない範囲で、モニター画面の隅の小さな範囲に表示する。アイコン３０１により、現在の撮影モードがHDDモードであることが示され、そのモードの場合、アイコン３０２により上記ディスク管理処理の状態が確認できる。ディスク管理処理が処理中であるか、完了したかを判別することができる。
【産業上の利用可能性】
【００１６】
２つ以上の記録媒体をもつビデオカメラで、その１つの記録媒体のディスク管理処理の完了を待たずに、もう一つの記録媒体で撮影を行うことができ、ユーザーの使い勝手が向上する。
【図面の簡単な説明】
【００１７】
【図１】実施例１の構成を示すブロック図である。
【図２】実施例1の制御方法におけるディスク管理処理のフォローチャートである。
【図３】実施例1のビデオカメラのモニター画面のレイアウト図である。
【符号の説明】
【００１８】
１０１  撮像処理部
１０２  コーデック処理部
１０３  バッファー手段
１０４  制御処理部
１０５  モニター画面
１０６  DVDドライブインターフェース回路
１０７  HDDドライブインターフェース回路
１０８  DVDドライブ
１０９  HDDドライブ
１１０  DVD記録媒体
１１１  電源供給部
１１２  操作ボタン
【図１】
2007128599.tif 000003
【図２】
2007128599.tif 000004
【図３】
2007128599.tif 000005